(57)【特許請求の範囲】
【請求項１】
通常モードと静音モードの何れかを選択可能な給湯器であって、
バーナ群と、バーナ群に燃焼用の空気を送る燃焼ファンを備えており、バーナ群のうち点火するバーナの個数を切換可能であり、温水を加熱する燃焼装置と、
水道からの低温水と貯湯槽からの高温水を混合して調温し、調温された温水を燃焼装置へ供給する混合器を備えており、
静音モードが選択された場合に、燃焼ファンの回転数が所定の上限値を超えないように燃焼装置での加熱量の範囲を制限し、給湯設定温度と、混合器での調温後の温水の温度と、給湯水量に基づいて算出される必要な加熱量が、制限された加熱量の範囲に入るように、混合器から燃焼装置へ送る温水の温度を調整する給湯器。
【発明の詳細な説明】
【技術分野】
【０００１】
本発明は、給湯器に関する。
【背景技術】
【０００２】
バーナ群と、バーナ群に燃焼用の空気を送る燃焼ファンを備えており、温水を加熱する燃焼装置を備える給湯器が知られている。この種の給湯器では、燃焼ファンの回転に起因して騒音が発生する。特許文献１には、燃焼ファンの回転数が所定の上限値を超えないように燃焼装置での加熱量の範囲を制限することで、燃焼ファンの回転に起因する騒音の発生を抑制する技術が開示されている。
【先行技術文献】
【特許文献】
【０００３】
【特許文献１】特開２００５−１１４３２３号公報
【発明の概要】
【発明が解決しようとする課題】
【０００４】
燃焼装置での加熱量の範囲を制限すると、燃焼装置で必要とされる加熱量を実現することができず、給湯設定温度で給湯できない事態が生じるおそれがある。特許文献１の技術では、燃焼装置で必要とされる加熱量が、使用するバーナの個数が少ない低燃焼制御での加熱量の上限値と、使用するバーナの個数が多い高燃焼制御での加熱量の下限値の間に位置する場合に、低燃焼制御と高燃焼制御を周期的に切り換えて実行することで、給湯設定温度での給湯を行う。しかしながら、低燃焼制御と高燃焼制御を周期的に切り替えると、給湯温度が周期的に変動してしまい、安定した給湯温度で給湯することができなくなってしまう。
【０００５】
本明細書は、上記の課題を解決する技術を提供する。本明細書は、燃焼ファンに起因する騒音の発生を抑制しつつ、安定した給湯温度で給湯することが可能な技術を提供する。
【課題を解決するための手段】
【０００６】
本明細書は給湯器を開示する。その給湯器は、通常モードと静音モードの何れかを選択可能である。その給湯器は、燃焼装置と混合器を備えている。その燃焼装置は、バーナ群と、バーナ群に燃焼用の空気を送る燃焼ファンを備えており、バーナ群のうち点火するバーナの個数を切換可能であり、温水を加熱する。その混合器は、水道からの低温水と貯湯槽からの高温水を混合して調温し、調温された温水を燃焼装置へ供給する。その給湯器では、静音モードが選択された場合に、燃焼ファンの回転数が所定の上限値を超えないように燃焼装置での加熱量の範囲を制限し、給湯設定温度と、混合器での調温後の温水の温度と、給湯水量に基づいて算出される必要な加熱量が、制限された加熱量の範囲に入るように、混合器から燃焼装置へ送る温水の温度を調整する。
【０００７】
上記の給湯器では、燃焼ファンに起因する騒音を抑制したい場合に、静音モードでの動作を選択することができる。静音モードにおいては、燃焼ファンの回転数が所定の上限値を超えないように燃焼装置での加熱量の範囲を制限することで、燃焼ファンに起因する騒音が抑制される。上記の給湯器では、静音モードが選択されて、燃焼装置での加熱量の範囲が制限されるのに伴い、給湯設定温度と、混合器での調温後の温水の温度と、給湯水量に基づいて算出される必要な加熱量が、制限された加熱量の範囲に入るように、混合器から燃焼装置へ送る温水の温度を調整する。これにより、燃焼装置が制限された加熱量の範囲内で動作する場合であっても、給湯設定温度で給湯することができる。上記の給湯器では、燃焼装置において使用するバーナの個数を周期的に切り替える必要がないので、給湯温度を安定させることができる。上記の給湯器によれば、燃焼ファンに起因する騒音の発生を抑制しつつ、安定した給湯温度で給湯することができる。
【図面の簡単な説明】
【００１０】
【図１】実施例の給湯システム１０の構成を模式的に示す図である。
【図２】通常モードにおける、燃焼装置６０の加熱量と、バーナ群６１および燃焼ファン６６の動作の関係を示す図である。
【図３】静音モードにおける、燃焼装置６０の加熱量と、バーナ群６１および燃焼ファン６６の動作の関係を示す図である。
【発明を実施するための形態】
【００１１】
（実施例）
本発明の熱機器を給湯システムとして具現化した実施例を、図１および図２を参照して説明する。図１に示すように、給湯システム１０は、貯湯ユニット２０とヒートポンプ（ＨＰ）熱源ユニット４０とガス熱源ユニット５０とコントローラ１１とを備えている。
【００１２】
ＨＰ熱源ユニット４０では、圧縮機４１の吐出側と四方弁４２と第１熱交換器４３の冷媒流路４３ａと膨張弁４４と第２熱交換器４５と四方弁４２と圧縮機４１の吸入側が、冷媒配管４６によって順に接続されており、ＨＰ冷媒がこの順に循環する。ＨＰ冷媒は、例えばＲ７４４（ＣＯ２冷媒）であってもよいし、Ｒ４１０Ａ（ＨＦＣ冷媒）であってもよい。第１熱交換器４３は、冷媒流路４３ａと循環水流路４３ｂとを備えている。第２熱交換器４５の近傍にはファン４５ａが設置されている。第２熱交換器４５は、ファン４５ａによって送られる外気とＨＰ冷媒との間で熱交換を行う。冷媒配管４６には、圧縮機４１の吐出側と四方弁４２との間と、膨張弁４４と第２熱交換器４５との間に、除霜経路４７が接続されている。除霜経路４７には、除霜弁４７ａが設けられている。
【００１３】
第１熱交換器４３の循環水流路４３ｂの入口側には循環往路接続経路４８が接続されており、出口側には循環復路接続経路４９が接続されている。循環往路接続経路４８には、入口側サーミスタ４８ａが設けられており、循環復路接続経路４９には出口側サーミスタ４９ａが設けられている。入口側サーミスタ４８ａは、第１熱交換器４３の循環水流路４３ｂに流入する循環水の温度を検出し、出口側サーミスタ４９ａは、第１熱交換器４３の循環水流路４３ｂから流出する循環水の温度を検出する。なお実際には、各サーミスタ４８ａ，４９ａは水温に応じた検出信号を出力し、この信号がコントローラ１１に入力されることにより水温が検出される。以下においても、サーミスタやセンサが検出するという表現は、実際には、これらの検出信号がコントローラ１１に入力されることにより温度や水の流量を検出することを意味する。
【００１４】
貯湯ユニット２０は、貯湯槽２１と混合器２４とを備えている。貯湯槽２１の底部には、貯湯槽２１に水道水を給水する給水経路２２が接続されている。給水経路２２の水道水入口２２ａの近傍には、減圧弁２３が設けられている。減圧弁２３は、貯湯槽２１と混合器２４への給水圧力を調整する。給水経路２２の減圧弁２３より下流側には、混合器２４の混合給水経路２６が接続されている。混合給水経路２６には、給水制御弁２６ａと、給水流量センサ２６ｂと、給水サーミスタ２６ｃが設けられている。給水制御弁２６ａは、混合給水経路２６を流れる水道水の流量を調整する。給水流量センサ２６ｂと給水サーミスタ２６ｃは、混合給水経路２６を流れる水道水の流量及び温度を検出する。貯湯槽２１内の温水が減少したり、給水制御弁２６ａが開いたりすると、減圧弁２３の下流側圧力が低下する。減圧弁２３は、下流側圧力が低下すると開き、その圧力を所定の調圧値に維持しようとする。このため、貯湯槽２１内の温水が減少したり、混合器２４の給水制御弁２６ａが開いたりすると、これらに水道水が給水される。
【００１５】
給水経路２２において、混合給水経路２６の接続部よりも下流側には、排水経路３１が接続されている。排水経路３１の途中には、排水弁３２が設けられている。排水弁３２は手動で開閉することができる。排水弁３２を開くと、貯湯槽２１内の水が排水経路３１を通じて外部に排出される。
【００１６】
貯湯槽２１の底部には、循環往路３３の一端が接続されており、貯湯槽２１の上部には、循環復路３４の一端が接続されている。循環往路３３の他端は、ＨＰ熱源ユニット４０の循環往路接続経路４８に接続されており、循環復路３４の他端は、循環復路接続経路４９に接続されている。循環往路３３には、往路サーミスタ３６と循環ポンプ３７とが設けられている。往路サーミスタ３６は、貯湯槽２１から循環往路３３に流出した水の温度を検出する。循環ポンプ３７が駆動すると、貯湯槽２１の下部から循環往路３３に水が吸出され、この水が第１熱交換器４３の循環水流路４３ｂを流れて、循環復路３４を通じて貯湯槽２１の上部に戻される。このようにして、貯湯槽２１とＨＰ熱源ユニット４０との間の循環経路が構成されている。
【００１７】
循環復路３４の途中には、圧力開放経路３８が接続されており、圧力開放経路３８には、リリーフ弁３８ａが設けられている。リリーフ弁３８ａの開弁圧力は、減圧弁２３の調圧値よりも僅かに大きく設定されている。減圧弁２３の調圧が不能になった場合には、リリーフ弁３８ａが開き、貯湯槽２１内の圧力が耐圧可能な圧力を超えるのを防止する。貯湯槽２１では、その上端から所定量（例えば３０リットル）の箇所に上部サーミスタ３９が取り付けられている。上部サーミスタ３９は、貯湯槽２１上部の水温を検出する。
【００１８】
貯湯槽２１の上部には、混合器２４の温水経路２５が接続されている。温水経路２５には、温水制御弁２５ａと、温水流量センサ２５ｂと、温水サーミスタ２５ｃが設けられている。温水制御弁２５ａは、貯湯槽２１から温水経路２５へ流れる水の流量を調整する。温水流量センサ２５ｂは、貯湯槽２１から温水経路２５へ流れる水の流量を検出する。温水サーミスタ２５ｃは、温水経路２５を流れる水の温度を検出する。温水経路２５と混合給水経路２６とは合流して第１混合経路２７に接続されている。第１混合経路２７には、第１混合経路２７を流れる混合水の温度を検出する混合サーミスタ２７ａが設けられている。
【００１９】
貯湯ユニット２０は、第１給湯経路２９を備えている。第１給湯経路２９には、給湯サーミスタ２９ａが設けられている。第１給湯経路２９の先端には、給湯栓８０が接続されている。給湯栓８０は、浴室、洗面所、台所等に配置されている（図１では、これら複数の給湯栓８０を１つで代表している）。第１混合経路２７の途中と第１給湯経路２９の途中は、給湯バイパス経路２８によって接続されている。給湯バイパス経路２８には、バイパス制御弁２８ａが設けられている。バイパス制御弁２８ａを開いた状態では、第１混合経路２７を流れた混合水が給湯バイパス経路２８へ流れ、バイパス制御弁２８ａを閉じた状態では、第１混合経路２７を流れた混合水が、後記するガス熱源ユニット５０の第２混合経路５２へ流れる。
【００２０】
ガス熱源ユニット５０は、ガスの燃焼によって水を加熱する燃焼装置６０を備えている。燃焼装置６０には、第２混合経路５２を介して、貯湯ユニット２０の第１混合経路２７からの混合水が流入する。第２混合経路５２には、入水サーミスタ５２ａと給湯水量センサ５２ｂと水量サーボ５２ｃとが設けられている。入水サーミスタ５２ａと給湯水量センサ５２ｂは、それぞれ第２混合経路５２を流れる水の温度及び流量を検出する。水量サーボ５２ｃは、第２混合経路５２を流れる水の流量を調整する。燃焼装置６０で加熱された水は、第２給湯経路５５を介して、貯湯ユニット２０の第１給湯経路２９に流れ込む。第２給湯経路５５には、給湯熱交換器５３の出口近傍に、缶体サーミスタ５６が設けられており、その下流側に出湯サーミスタ５７が設けられている。第２混合経路５２における水量サーボ５２ｃの下流側と、第２給湯経路５５の缶体サーミスタ５６と出湯サーミスタ５７との間には、熱源機バイパス経路５８が接続されている。第２混合経路５２と熱源機バイパス経路５８との接続部には、熱源機バイパス制御弁５９が設けられている。熱源機バイパス制御弁５９の開度を調整することによって、第２混合経路５２を流れる水の一部が熱源機バイパス経路５８に流れ、その水の流量が調整される。
【００２１】
燃焼装置６０は、第１バーナ群６１ａ、第２バーナ群６１ｂおよび第３バーナ群６１ｃを備えている。本実施例では、第１バーナ群６１ａは３つのバーナから構成されており、第２バーナ群６１ｂは５つのバーナから構成されており、第３バーナ群６１ｃは８つのバーナから構成されている。以下では第１バーナ群６１ａ、第２バーナ群６１ｂおよび第３バーナ群６１ｃを総称してバーナ群６１と言う事もある。バーナ群６１には、ガス供給経路６２を介して、都市ガスやＬＰガスなどの燃料ガスが供給される。ガス供給経路６２には、ガス供給経路６２を開閉する元電磁弁６２ａと、ガス供給経路６２を流れる燃料ガスの流量を調整する比例弁６２ｂが設けられている。ガス供給経路６２は、比例弁６２ｂより下流側で、第１ガス分岐経路６３ａ、第２ガス分岐経路６３ｂおよび第３ガス分岐経路６３ｃに分岐している。第１ガス分岐経路６３ａは、第１バーナ群６１ａの各バーナに燃料ガスを供給する。第１ガス分岐経路６３ａには、第１ガス分岐経路６３ａを開閉する第１切替弁６４ａが設けられている。第２ガス分岐経路６３ｂは、第２バーナ群６１ｂの各バーナに燃料ガスを供給する。第２ガス分岐経路６３ｂには、第２ガス分岐経路６３ｂを開閉する第２切替弁６４ｂが設けられている。第３ガス分岐経路６３ｃは、第３バーナ群６１ｃの各バーナに燃料ガスを供給する。第３ガス分岐経路６３ｃには、第３ガス分岐経路６３ｃを開閉する第３切替弁６４ｃが設けられている。
【００２２】
燃焼装置６０はさらに、バーナ群６１に点火するためのイグナイタ６５ａと、バーナ群６１の着火を検知するフレームロッド６５ｂと、バーナ群６１に燃焼用の空気を送風する燃焼ファン６６を備えている。
【００２３】
燃焼装置６０はさらに、バーナ群６１からの燃焼ガスと内部を流れる水の間で顕熱交換する第１熱交換器６７ａと、第１熱交換器６７ａを通過した燃焼ガスと内部を流れる水の間で全熱交換する第２熱交換器６７ｂを備えている。第２熱交換器６７ｂは潜熱回収型の熱交換器ということもできる。第２混合経路５２から燃焼装置６０に流入する水は、まず第２熱交換器６７ｂを流れる間に加熱され、その後第１熱交換器６７ａを流れる際にさらに加熱されて、第２給湯経路５５へ流出する。
【００２４】
コントローラ１１は、ＣＰＵ、ＲＯＭ、ＲＡＭ等を備えている。ＲＯＭには各種の運転プログラムが格納されている。ＲＡＭには、コントローラ１１に入力される各種信号や、ＣＰＵが処理を実行する過程で生成される種々のデータが一時的に記憶される。詳細には、ＲＡＭには、上記した各種のサーミスタ２５ｃ，２６ｃ，２７ａ，２９ａ，３６，４８ａ，４９ａ，５２ａ，５６，５７及び水量センサ２５ｂ，２６ｂ，５２ｂの検出信号が入力され、これらの情報が一時的に記憶される。コントローラ１１では、ＣＰＵがＲＯＭやＲＡＭに記憶される情報に基づいて、貯湯ユニット２０及びガス熱源ユニット５０の各制御弁やＨＰ熱源ユニット４０の各種機器等に対して駆動信号を出力する。また、リモコン１３には、給湯システム１０を操作するためのスイッチ１６、給湯システム１０の動作状態を表示する液晶表示器１７等が設けられており、リモコン１３で設定された情報がコントローラ１１に入力される。リモコン１３では、通常モードと静音モードを選択可能である。通常モードが選択された場合、給湯システム１０は通常モードで動作する。静音モードが選択された場合、給湯システム１０は静音モードで動作する。
【００２５】
（通常モードでの動作）
給湯システム１０では、以下のように蓄熱および給湯を行う。
（１）ＨＰ熱源ユニット４０によって貯湯槽２１の水を加熱して高温の温水とし、この温水を貯湯槽２１に貯湯し；
（２）混合器２４で貯湯槽２１の貯水と水道水とを混合して給湯設定温度の混合水となるように調整し；
（３）混合器２４で給湯設定温度に調整された混合水を給湯バイパス経路２８を通じて給湯栓８０から給湯する第１給湯運転と、混合器２４で給湯設定温度よりも低い温度に調整された混合水をガス熱源ユニット５０で加熱して給湯栓８０から給湯する第２給湯運転の何れかを行う。
【００２６】
まず、ＨＰ熱源ユニット４０を稼働することによって、貯湯槽２１に高温の水が貯湯される。ＨＰ熱源ユニット４０では、圧縮機４１で圧縮されたＨＰ冷媒が、第１熱交換器４３の冷媒流路４３ａを流れる際に循環水流路４３ｂを流れる循環水を加熱する。冷媒流路４３ａから流出したＨＰ冷媒は、膨張弁４４で膨張して冷却され、第２熱交換器４５を流れる際に外気から吸熱して昇温する。昇温したＨＰ冷媒が圧縮機４１に流入して再び圧縮されることによってさらに昇温する。また、ＨＰ熱源ユニット４０では、破線矢印に示すように、第２熱交換器４５を除霜するため、一時的に除霜弁４７ａが開いて圧縮機４１から吐出した高温のＨＰ冷媒が、除霜経路４７を通じて第２熱交換器４５を流れるようにする。
【００２７】
貯湯ユニット２０では、循環ポンプ３７が作動し、貯湯槽２１内の水が貯湯槽２１の底部から循環往路３３に吸出される。循環往路３３に吸出された水は、ＨＰ熱源ユニット４０の第１熱交換器４３の循環水流路４３ｂを通過する際に加熱されて温度上昇する。温度上昇した温水は、循環復路３４を流れて貯湯槽２１の上部に戻される。この循環が行われることによって、貯湯槽２１では、冷水層の上部に高温層が積層した温度成層が形成される。貯湯槽２１に高温の温水が戻され続けると、高温層の厚さ（深さ）は次第に大きくなり、最大限に蓄熱された状態では、貯湯槽２１の全体に高温の温水が貯まった状態になる。貯湯槽２１に最大限に蓄熱が行われていなくても、温度成層が形成されることにより、貯湯槽２１の上部に接続されている温水経路２５には、高温の温水が送り出される。
【００２８】
第１給湯運転及び第２給湯運転は以下のようにして行われる。貯湯槽２１の上部サーミスタ３９の検出水温が、リモコン１３で設定されている給湯設定温度よりも高い第１基準温度（例えば給湯設定温度＋５℃）以上である場合には、第１給湯運転が行われる。第１給湯運転では、コントローラ１１がバイパス制御弁２８ａを開状態とし、水量サーボ５２ｃを全閉状態とする。コントローラ１１は、混合サーミスタ２７ａで検出される水温が給湯設定温度となるように、温水制御弁２５ａの開度と給水制御弁２６ａの開度を調整する。給湯設定温度に調整された混合水は、第１混合経路２７を流れた後に、給湯バイパス経路２８及び第１給湯経路２９を通じて給湯栓８０から給湯される。
【００２９】
一方、上部サーミスタ３９の検出水温が第１基準温度未満である場合には、第２給湯運転が行われる。第２給湯運転では、コントローラ１１が、バイパス制御弁２８ａを全閉状態とし、水量サーボ５２ｃを所定開度に設定する。コントローラ１１は、混合サーミスタ２７ａで検出される水温が給湯設定温度よりも低い第２基準温度（例えば給湯設定温度−５℃）となるように、温水制御弁２５ａの開度と給水制御弁２６ａの開度を調整する。第２基準温度に調整された混合水は、第１混合経路２７を流れ、ガス熱源ユニット５０の第２混合経路５２を流れて燃焼装置６０に流入し、バーナ群６１により加熱される。
【００３０】
図２は燃焼装置６０において必要な加熱量と、バーナ群６１および燃焼ファン６６の動作の関係を示している。本実施例の燃焼装置６０は、小火力燃焼１０２、中火力燃焼１０４および大火力燃焼１０６の何れかで動作可能である。小火力燃焼１０２では、バーナ群６１のうち第１バーナ群６１ａを点火し、第２バーナ群６１ｂおよび第３バーナ群６１ｃを消火する。中火力燃焼１０４では、バーナ群６１のうち第１バーナ群６１ａおよび第２バーナ群６１ｂを点火し、第３バーナ群６１ｃを消火する。大火力燃焼１０６では、バーナ群６１の第１バーナ群６１ａ、第２バーナ群６１ｂおよび第３バーナ群６１ｃの全てを点火する。本実施例の燃焼装置６０では、必要とされる加熱量に応じて、小火力燃焼１０２、中火力燃焼１０４および大火力燃焼１０６の間で動作を切り替える。燃焼装置６０において必要とされる加熱量は、給湯設定温度と、混合器２４が調温する第２基準温度と、給湯水量センサ５２ｂで検出される給湯水量に基づいて、算出することができる。燃焼装置６０を小火力燃焼１０２の範囲の加熱量で動作させる場合は、第１切替弁６４ａを開弁し、第２切替弁６４ｂおよび第３切替弁６４ｃを閉弁して、比例弁６２ｂで燃料ガスの供給量を調整することで、加熱量を調整する。同様に、燃焼装置６０を中火力燃焼１０４の範囲の加熱量で動作させる場合は、第１切替弁６４ａおよび第２切替弁６４ｂを開弁し、第３切替弁６４ｃを閉弁して、比例弁６２ｂで燃料ガスの供給量を調整することで、加熱量を調整する。燃焼装置６０を大火力燃焼１０６の範囲の加熱量で動作させる場合は、第１切替弁６４ａ、第２切替弁６４ｂおよび第３切替弁６４ｃを開弁して、比例弁６２ｂで燃料ガスの供給量を調整することで、加熱量を調整する。この際、バーナ群６１の個々のバーナに供給される燃料ガスの量に応じて、燃焼ファン６６の回転数が調整される。小火力燃焼１０２の範囲と中火力燃焼１０４の範囲が重複する範囲１０８については、燃焼装置６０を小火力燃焼１０２で動作させてもよいし、中火力燃焼１０４で動作させてもよい。なお、小火力燃焼１０２と中火力燃焼１０４では、点火するバーナの個数が異なるため、比例弁６２ｂにおける燃料ガスの供給量を同じにしても、個々のバーナへの燃料ガスの供給量が異なり、燃焼ファン６６の回転数は異なるものとなる。同様に、中火力燃焼１０４の範囲と大火力燃焼１０６の範囲が重複する範囲１１０については、燃焼装置６０を中火力燃焼１０４で動作させてもよいし、大火力燃焼１０６で動作させてもよい。中火力燃焼１０４と大火力燃焼１０６では、点火するバーナの個数が異なるため、比例弁６２ｂにおける燃料ガスの供給量を同じにしても、個々のバーナへの燃料ガスの供給量が異なり、燃焼ファン６６の回転数は異なる。
【００３１】
なお、ガス熱源ユニット５０では、缶体サーミスタ５６で検出される水温が６０℃以上となるように、熱源機バイパス制御弁５９の開度が調整される。これにより、配管に結露水が発生することを抑制することができる。第２混合経路５２を流れる混合水の一部が熱源機バイパス経路５８を通じて第２給湯経路５５に流入し、燃焼装置６０からの６０℃以上の水と熱源機バイパス経路５８からの第２基準温度の水とが混合されて、給湯設定温度の水が第１給湯経路２９に送られる。このようにして、給湯設定温度に調温された水が、第１給湯経路２９を通じて給湯栓８０から給湯される。これにより、第１給湯運転中に貯湯槽２１に貯湯しておいた温水を消費しつくした場合にも、給湯設定温度に調温された温水を給湯し続けることができる。
【００３２】
（静音モードでの動作）
上記した第２給湯運転においては、燃焼ファン６６の回転に起因して騒音が発生する。燃焼ファン６６の回転数が大きくなるほど、燃焼ファン６６に起因する騒音も大きくなる。そこで、本実施例の給湯システム１０は、静音モードが選択されると、第２給湯運転において以下のように動作する。
【００３３】
図３は静音モードにおける、燃焼装置６０において必要な加熱量と、バーナ群６１および燃焼ファン６６の動作の関係を示している。静音モードにおいては、燃焼ファン６６の回転数に上限値を設けて、小火力燃焼１１２、中火力燃焼１１４および大火力燃焼１１６のそれぞれについて、燃焼ファン６６の回転数が上限値を超える範囲１１２ａ，１１４ａ，１１６ａ（図３で破線で示す）での動作を禁止する。これにより、燃焼ファン６６からの騒音の発生を抑制することができる。
【００３４】
上記のように燃焼ファン６６の回転数に上限値を設けると、小火力燃焼１１２での最大加熱量と中火力燃焼１１４の最小加熱量の間の範囲１１８、中火力燃焼１１４の最大加熱量と大火力燃焼１１６の最小加熱量の間の範囲１２０、および大火力燃焼１１６の最大加熱量より大きい加熱量の範囲１２２については、燃焼装置６０で必要とされる加熱量を実現できない事態が生じる。そこで、本実施例の給湯システム１０では、給湯設定温度と、混合器２４が調温する第２基準温度と、給湯水量センサ５２ｂで検出される給湯水量に基づいて算出される必要な加熱量が、上記のような範囲１１８，１２０，１２２に該当する場合に、混合器２４から燃焼装置６０へ供給する混合水の温度を変更して、燃焼装置６０で必要とされる加熱量を変更する。
【００３５】
例えば、燃焼装置６０で必要とされる加熱量が、小火力燃焼１１２と中火力燃焼１１４の間の範囲１１８に該当する場合、混合サーミスタ２７ａで検出される水温が第２基準温度よりも高い温度（例えば第２基準温度＋３℃）となるように、温水制御弁２５ａの開度と給水制御弁２６ａの開度を調整する。これにより、燃焼装置６０で必要とされる加熱量が減少し、必要な加熱量を小火力燃焼１１２で実現することが可能となる。あるいは、燃焼装置６０で必要とされる加熱量が、小火力燃焼１１２と中火力燃焼１１４の間の範囲１１８に該当する場合、混合サーミスタ２７ａで検出される水温が第２基準温度よりも低い温度（例えば第２基準温度−３℃）となるように、温水制御弁２５ａの開度と給水制御弁２６ａの開度を調整してもよい。この場合、燃焼装置６０で必要とされる加熱量が増加し、必要な加熱量を中火力燃焼１１４で実現することが可能となる。燃焼装置６０で必要とされる加熱量が、中火力燃焼１１４と大火力燃焼１１６の間の範囲１２０や、大火力燃焼１１６より大きい加熱量の範囲１２２に該当する場合についても、同様に混合器２４から供給される混合水の温度を調整することで、必要な加熱量を中火力燃焼１１４や大火力燃焼１１６の範囲に変更することができる。
【００３６】
上記の実施例では、貯湯槽２１に貯める熱媒として、給湯で供給する水道水（上水）を使用する構成について説明した。これとは異なり、例えば貯湯槽２１に貯める熱媒として不凍液を使用し、給湯で供給する水道水（上水）と貯湯槽２１に貯められた不凍液の間で熱交換する熱交換器を設けることで、貯湯槽２１の蓄熱を給湯に利用する構成としてもよい。
【００３７】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。また、本明細書または図面に説明した技術要素は、単独であるいは各種の組合せによって技術的有用性を発揮するものであり、出願時の請求項記載の組合せに限定されるものではない。また、本明細書または図面に例示した技術は、複数目的を同時に達成するものであり、そのうちの一つの目的を達成すること自体で技術的有用性を持つものである。
【符号の説明】
【００３８】
１０  給湯システム
１１  コントローラ
１３  リモコン
２０  貯湯ユニット
２１  貯湯槽
２２  給水経路
２２ａ  水道水入口
２３  減圧弁
２４  混合器
２５  温水経路
２５ａ  温水制御弁
２５ｂ  温水流量センサ
２５ｃ  温水サーミスタ
２６  混合給水経路
２６ａ  給水制御弁
２６ｂ  給水流量センサ
２６ｃ  給水サーミスタ
２７  第１混合経路
２７ａ  混合サーミスタ
２８  給湯バイパス経路
２８ａ  バイパス制御弁
２９  第１給湯経路
２９ａ  給湯サーミスタ
３１  排水経路
３２  排水弁
３３  循環往路
３４  循環復路
３６  往路サーミスタ
３７  循環ポンプ
３８  圧力開放経路
３８ａ  リリーフ弁
３９  上部サーミスタ
４０  ヒートポンプ熱源ユニット
４１  圧縮機
４２  四方弁
４３  第１熱交換器
４３ａ  冷媒流路
４３ｂ  循環水流路
４４  膨張弁
４５  第２熱交換器
４５ａ  ファン
４６  冷媒配管
４７  除霜経路
４７ａ  除霜弁
４８  循環往路接続経路
４８ａ  入口側サーミスタ
４９  循環復路接続経路
４９ａ  出口側サーミスタ
５０  ガス熱源ユニット
５２  第２混合経路
５２ａ  入水サーミスタ
５２ｂ  給湯水量センサ
５２ｃ  水量サーボ
５５  第２給湯経路
５６  缶体サーミスタ
５７  出湯サーミスタ
５８  熱源機バイパス経路
５９  熱源機バイパス制御弁
６０  燃焼装置
６１  バーナ群
６１ａ  第１バーナ群
６１ｂ  第２バーナ群
６１ｃ  第３バーナ群
６２  ガス供給経路
６２ａ  元電磁弁
６２ｂ  比例弁
６３ａ  第１ガス分岐経路
６３ｂ  第２ガス分岐経路
６３ｃ  第３ガス分岐経路
６４ａ  第１切替弁
６４ｂ  第２切替弁
６４ｃ  第３切替弁
６５ａ  イグナイタ
６５ｂ  フレームロッド
６６  燃焼ファン
６７ａ  第１熱交換器
６７ｂ  第２熱交換器
８０  給湯栓
【図１】
0005923369.tif 000002
【図２】
0005923369.tif 000003
【図３】
0005923369.tif 000004